(57)【要約】本発明はディジタル表示装置上に動画像を表示する方法に関する。画像の表示フレームは装置の奇数行セルと偶数行セルとを別個にアドレスする期間及びそれらを別個に消去する期間から成る。動画像フレームの各サブフィールドは少なくとも１つのアドレス・フィールド、１つの消去フィールド、及び少なくとも１つの持続期間から成る。当該期間は、装置の奇数行と偶数行とで異なった、動画像フレームにおけるサブフィールドの配置、すなわち動画像フレームの時間的位置を獲得するよう、お互いに配置される。当該装置はプラズマ・ディスプレイ・パネルであることが望ましい。
2005504346.tif 000002
【特許請求の範囲】
【請求項１】
動画像を表示装置上のパネルに動画フレームの間に表示する方法であって、前記装置は行及び列に配置された複数セルを有し、前記動画フレームは、複数の、サブフィールドと呼ばれる期間で、該期間中に各基本セルが表示の重みに比例する時間においてオン状態かオフ状態かのいずれかにある期間から成っていて、各サブフィールドが：
各々、前記奇数列セル又は前記偶数列セルをアドレスする奇数又は偶数アドレス期間；
前記パネルの前記セル全てに共通の、少なくとも１つの期間で、該期間中に前記セルが前記先行するアドレスに応じてオン状態かオフ状態かである、維持期間；及び
各々、前記奇数列セルと前記偶数列セルとの状態を消去するための偶数又は奇数消去期間；
を有し、前記奇数行に関係する少なくとも１つのサブフィールドが少なくとも１つの偶数維持期間及び／又は１つの偶数消去期間によって離された少なくとも２つの維持期間を有し、かつ、前記偶数行に関係する少なくとも１つのサブフィールドが少なくとも１つの奇数維持期間及び／又は１つの奇数消去期間によって離された少なくとも２つの維持期間を有し、
前記パネルの前記奇数及び偶数行について、前記サブフィールドを、前記低い重みのサブフィールドを有する第１群（Ｌ１）と前記高い重みのサブフィールドを有する第２群（Ｈ１）との２つのサブフィールドの群に分割する工程；
先行する動画像に対する現時の動画像の動きを予測して該現時の動画像の各画素について動きベクトル（Ｍ）を生成する工程；及び
前記現時の動画像の各画素について、前記パネルの、前記偶数行の前記群（Ｌ１又はＨ１）のうちの一方の前記サブフィールドと、前記奇数行の前記群（Ｌ１又はＨ１）のうちの前記一方とは別の前記サブフィールドとを、前記予測動きベクトルの半分（Ｍ／２）におおよそ等しい量だけ、移動させる工程；
を有することを特徴とする方法。
【請求項２】
請求項１記載の方法であって、前記パネルの前記偶数行の前記動画フレームの前記サブフィールドは、前記パネルの前記奇数行の前記動画フレームと同様の順序にて表示されるが、該奇数行の前記動画フレームに対して動画フレームのおおよそ半分だけ一時的にオフセットされることを特徴とする方法。
【請求項３】
請求項２記載の方法であって：
前記現時の動画像の各画素について、前記パネルの前記奇数行の前記第２群（Ｈ１）の前記サブフィールド及び前記パネルの前記偶数行の前記第１群（Ｌ１）の前記サブフィールドが前記予測動きベクトルの半分（Ｍ／２）におおよそ等しく、かつ、前記パネルの前記偶数行の第２群（Ｈ１）の前記サブフィールドが前記予測動きベクトル（Ｍ）におおよそ等しい量だけ移動される；
ことを特徴とする方法。
【請求項４】
請求項２記載の方法であって、前記現時の動画像の各画素について、前記パネルの前記偶数行の前記第２群（Ｈ１）の前記サブフィールドと前記パネルの前記奇数行の前記第１群（Ｌ１）の前記サブフィールドとが前記予測動きベクトルの半分（Ｍ／２）におおよそ等しい量だけ移動され、かつ、前記パネルの前記奇数行の前記第２群（Ｈ１）の前記サブフィールドが前記予測動きベクトル（Ｍ）におおよそ等しい量だけ移動されることを特徴とする方法。
【請求項５】
請求項１記載の方法であって、前記パネルの、前記偶数行の前記高い重みのサブフィールドが、同じ画像について、前奇数行の前記低い重みのサブフィールドの間にも表示され、逆も同様であることを特徴とする方法。
【請求項６】
請求項５記載の方法であって、前記現時の動画像の各画素について、前記パネルの前記奇数行の前記第２群（Ｈ１）の前記サブフィールドと前記パネルの前記偶数行の前記第１群（Ｌ１）の前記サブフィールドとは前記予測動きベクトルの半分（Ｍ／２）におおよそ等しい量だけ移動されることを特徴とする方法。
【請求項７】
請求項５記載の方法であって、前記現時の動画像の各画素について、前記パネルの前記偶数行の前記第２群（Ｈ１）の前記サブフィールドと前記パネルの前記奇数行の前記第１群（Ｌ１）の前記サブフィールドが前記予測動きベクトルの半分（Ｍ／２）におおよそ等しい量だけ移動されることを特徴とする方法。
【請求項８】
プラズマ・ディスプレイ・パネルであって、請求項１乃至７の何れかに記載の、表示の、方法を実現する装置を有することを特徴とするプラズマ・ディスプレイ・パネル。
【発明の詳細な説明】
【技術分野】
【０００１】
本発明は、一般に、表示装置上に動画像を表示する方法に関するものであり、特に、オン／オフ・モードにて動作するセルを有するディスプレイ・パネル、とりわけ、プラズマ・ディスプレイ・パネルによって発生する表示上の不具合、すなわち大画面フリッカの影響及び擬似輪郭の影響を修正し、かつ、動画像が表示されている場合に出現する電流消費ピークの振幅を低減することを企図するものである。
【背景技術】
【０００２】
プラズマ・ディスプレイ・パネル（以下、ＰＤＰと呼ぶ）の技術は、大型のフラット・ディスプレイ・パネルを獲得することを可能にする。ＰＤＰは一般に、隔壁リブによって境界が示された基本区域の範囲が定められている、気体入りの区域によって境界が定められた２枚の断熱タイルを備える。各タイルには電極の１つ以上のアレイが設けられている。基本セルは、少なくとも１つの電極とともに当該基本区域の各側面上に設けられた基本区域に相当する。基本セルを起動させるには、セルの電極間に電圧を印加することによって、当該相当する基本区域に放電を発生させる。放電はその場合、基本セルにおいて紫外線を放射させる。セル壁に注入された蛍光体は紫外線を可視光線に変換する。
【０００３】
ＰＤＰの基本セルの動作期間は、動画フレームと呼ばれる、動画像の表示期間に相当する。各動画フレームはいくつかの、通常、サブフィールドと呼ばれる、基本期間から構成される。各サブフィールドはアドレス期間、持続期間、及び消去期間を備える。セルのアドレシング、すなわち起動はセルに高振幅の電気パルスを送って該セルをオン状態かオフ状態におくことから成る。セルは持続期間にわたってより低いパルス系列を送ることによってこの状態に保たれる。各サブフィールドは特定の持続期間の長さ及びその持続期間によって変わる重みを有する。セルは、放電を減衰させて、セルの内部の電荷を除去することによって消去される、すなわち、消される。セルの表示期間はセルの持続期間に相当する。これらの期間は動画フレーム全体に分布する。人間の目はその場合、これらの表示期間の積分を行って、相当するグレー・レベルを再現する。
【発明の開示】
【発明が解決しようとする課題】
【０００４】
表示期間の時間的積分に関係して多少の問題がある。大画面フリッカの問題は高いグレー・レベルを有する画像の類似の領域において起こり得る。これは普及している表示装置（陰極線管又はプラズマ・ディスプレイ）のフレーム周波数は５０Ｈｚに等しいからである。該フレーム周波数は人間の目にとって比較的低い（６０Ｈｚより低い）ので、当該フレーム周波数は高動画レベルの領域におけるフリッカを感知する。これは、各々の重みが１、２、４、８、１６、３２、６４及び１２８の８つのサブフィールドを有する動画フレームの場合、アドレス期間は動画フレームの約７０％を、持続期間が３０％を占めるのに対して、占める。２５５のグレー・レベルは動画フレームの全てのサブフィールドを消すことで獲得される。動画情報はその場合、動画フレーム全体に及ぶ。しかしながら、光度の観点から見ると、光度情報の大部分（２２４／２５５、すなわち、８７％）は３つの高い重みのサブフィールドの間に表示される（動画フレームの４３％＝７０％の２／８＋３０％の８７％）。この集中度と白色画面の存在によって、人間の目は輝度のピークを２０ｍｓ（５０Ｈｚ）毎に検出し、したがって、フリッカを感知する。
【０００５】
さらに、ＰＤＰによる電流消費に関しては、電流のピークは一般に最もよくオン状態になるサブフィールドである、低い重みのサブフィールドの間に出現する。この現象は、重みが最低のサブフィールドが常にオン状態になっている、０のグレー・レベル以外の全てのグレー・レベルについて、インクリメンタル符号化の場合に特に存在する。インクリメンタル符号化においては、セルが動画フレームの間に状態を変えるのは多くて一度である。セルがフレームの開始時にオン状態で、この動画フレームのサブフィールドの間にオフ状態に変わる場合、セルは動画フレームの最後までこの状態を維持する。その結果、セルの大部分は動画フレームの低い重みのサブフィールドの間でオン状態になっており、これらのサブフィールドの間の電流消費はしたがってより高くなる。この問題は各々が１、２、４、及び８の重みを有する、４つのサブフィールドＳＦ１乃至ＳＦ４を有するインクリメンタル符号を例にとって示す。画像は更に、グレー・レベルの等確率の任意分布を有するものと考える（セルの２０％は０のグレー・レベルを有する；セルの２０％はサブフィールドＳＦ１の間のみ、オン状態になる；セルの２０％はサブフィールドＳＦ１及びＳＦ２の間のみ、オン状態になる；セルの２０％はサブフィールドＳＦ１、ＳＦ２及びＳＦ３の間のみオン状態になり、セルの２０％は４つのサブフィールドＳＦ１、ＳＦ２、ＳＦ３及びＳＦ４の間にオン状態になる。）。この画像が表示されている間にＰＤＰによって消費されるエネルギを図１に表す。この図においては、１００％のパーセンテージ値は、ＰＤＰのセルの全てが同時にオン状態である場合にＰＤＰに供給される電流の強度、すなわち最高電流強度に相当すると考える。図１はＰＤＰの供給回路が、サブフィールドＳＦ１の持続期間の間には最高電流強度の８０％に強度が等しい電流、サブフィールドＳＦ２の持続期間の間には最高電流強度の６０％に強度が等しい電流、サブフィールドＳＦ３の持続期間の間には最高電流強度の４０％に強度が等しい電流、及び、サブフィールドＳＦ４の持続期間の間には最高電流強度の２０％に強度が等しい電流を供給しなければならないことを表す。
【課題を解決するための手段】
【０００６】
本発明の目的は大画面フリッカを除去することにある。本発明の別の目的は動画フレームの低い重みのサブフィールドの間にＰＤＰに供給される電流の強度を低減することにある。
【０００７】
本発明は動画フレームの間で表示装置上に動画像を表示する方法に関する。当該装置は行及び列に配置された複数のセルから成る。動画フレームは、各基本セルが表示の重みに比例する時間中、オンの状態かオフの状態にある、サブフィールドと呼ばれる複数の期間から成る。各々のサブフィールドは：
各々、奇数行のセルか偶数行のセルかをアドレスする、奇数又は偶数のアドレス期間；
セルが、先行するアドレシングに応じてオンかオフの状態にある、パネルの全てのセルに共通する、少なくとも１つの持続期間；及び
各々、奇数行のセル及び偶数行のセルの状態を消去する奇数又は偶数の消去期間；
から成る。
【０００８】
奇数行に関係する少なくとも１つのサブフィールドは少なくとも１つの偶数の維持期間及び／又は１つの偶数消去期間によって離されている少なくとも２つの持続期間を有する。偶数行に関係する少なくとも１つのサブフィールドは少なくとも１つの奇数の維持期間及び／又は１つの奇数の消去期間によって離されている少なくとも２つの持続期間を有する。当該方法は、パネルの奇数行と偶数行について、サブフィールドを、おおよそ等しい長さの、低い重みのサブフィールドから成る第１群と高い重みのサブフィールドから成る第２群との、２つのサブフィールド群に分割する。更に、先行する動画像に対する現時の動画像の動きが、現時の動画像の各画素について動きベクトルを生成するよう推定される。現時の動画像の各画素について、パネルの偶数行の群の一方のサブフィールドと奇数行の群のもう一方のサブフィールドとが推定動きベクトルの半分におおよそ等しい量だけ移動される。
【発明を実施するための最良の形態】
【０００９】
第１の実施例によれば、パネルの偶数行の動画フレームのサブフィールドはパネルの奇数行の動画フレームのサブフィールドと同様の順序にて表示されるが、当該偶数行の動画フレームのサブフィールドは、パネルの奇数行の動画フレームのサブフィールドに対しておおよそ半フレームだけ一時的に移動される。現時の動画像の各画素について、パネルの奇数行の第２群のサブフィールドとパネルの偶数行の第１群のサブフィールドは予測動きベクトルの半分におおよそ等しい量だけ移動され、パネルの偶数行の第２群のサブフィールドは予測動きベクトルにおおよそ等しい量だけ移動される。あるいは、現時の動画像の各画素について、パネルの偶数行の第２群のサブフィールドとパネルの奇数行の第１群のサブフィールドは予測動きベクトルの半分におおよそ等しい量だけ移動され、パネルの奇数行の第２群のサブフィールドは予測動きベクトルにおおよそ等しい量だけ移動される。
【００１０】
第２の実施例によれば、パネルの偶数行の高い重みのサブフィールドは、同じ画像について、奇数行の重みの低いサブフィールドに表示され、逆も同様である。現時の動画像の各画素について、パネルの奇数行の第２群のサブフィールドとパネルの偶数行の第１群のサブフィールドとは予測動きベクトルの半分におおよそ等しい量だけ移動されるか、現時の動画像の各画素について、パネルの偶数行の第２群のサブフィールドとパネルの奇数行の第１群のサブフィールドとは予測動きベクトルの半分におおよそ等しい量だけ移動される。本発明は更に本発明の表示方法を実現する装置を含むプラズマ・ディスプレイ・パネルに関する。
【００１１】
本発明によれば、ＰＤＰの奇数行のセルのアドレシングは奇数行のセルのアドレシングから離される。同様のことがセルの消去にも当てはまる。動画像の表示フレームはしたがってＰＤＰの奇数行のセルをアドレスする期間Ｉ、ＰＤＰの偶数行のセルをアドレスする期間Ｐ、ＰＤＰの奇数行のセルを消去する期間Ｅ（Ｉ）、ＰＤＰの奇数行のセルを消去する期間Ｅ（Ｐ）及びＰＤＰの全てのセルに共通の持続期間がある。この動画フレームの新規構造は図３下部を通じて示され、従来技術の動画像フレーム構造を表す。
【実施例】
【００１２】
図２上部は各々１、２、４、及び８の重みの４つのサブフィールドＳＦ１、ＳＦ２、ＳＦ３及びＳＦ４から成る。各サブフィールドは、ＰＤＰの奇数行と偶数行の全てのセルが順次消去される、消去期間Ｅ（Ｉ＋Ｐ）、ＰＤＰの偶数行と奇数行の全てのセルが順次サドレスされるアドレス期間Ｉ＋Ｐ及び当該サブフィールドの重みに比例する長さの持続期間を有する。ＰＤＰの行は順次に、すなわち、奇数行、次に偶数行、今度は奇数行、などというようにアドレスされる。
【００１３】
図３下部は、上記の通り、本発明による動画像の表示フレームがＰＤＰの奇数行及び偶数行セルを各々アドレスする期間Ｉ及びＰ、ＰＤＰの奇数行セル及び偶数行セルを各々消去する期間Ｅ（Ｉ）及びＥ（Ｐ）、及びＰＤＰの全てのセルに共通の持続期間から成ることを表す。重み８のサブフィールドＳＦ４の持続期間はより短い長さの４つの持続期間、すなわち２つの重み１の持続期間、１つの重み２の持続期間及び１つの重み４の持続期間に分割される。その場合、図３下部における動画フレームは：
消去期間Ｅ（Ｉ）、アドレス期間Ｉ、及び重み１の持続期間から成る第１期間Ｐ１；
消去期間Ｅ（Ｉ）、アドレス期間Ｉ、及び重み２の持続期間から成る第２期間Ｐ２；
消去期間Ｅ（Ｉ）、アドレス期間Ｉ、及び重み４の持続期間から成る第３期間Ｐ３；
消去期間Ｅ（Ｉ）、アドレス期間Ｉ、消去期間Ｅ（Ｐ）、アドレス期間Ｐ、及び重み１の持続期間から成る第４期間Ｐ４；
消去期間Ｅ（Ｐ）、アドレス期間Ｐ、及び重み２の持続期間から成る第５期間Ｐ５；
消去期間Ｅ（Ｐ）、アドレス期間Ｐ、及び重み４の持続期間から成る第６期間Ｐ６；及び  最後に
消去期間Ｅ（Ｐ）、アドレス期間Ｐ、及び重み１の持続期間から成る第７期間Ｐ７；
の８つの基本期間を有する。
【００１４】
現時の動画フレームに先行する動画フレームの期間Ｐ７は更に、図３下部において点線で表す。
【００１５】
動画フレームにおける持続期間の全体時間は図２上部における動画フレームに対して不変のままになる。同様のことがアドレス及び消去期間に当てはまる。
【００１６】
この、アドレス期間と消去期間とを分割する新規の方法は、持続期間の新規の分布ととともに、動画フレームにおいて、パネルの奇数行及び偶数行に対して動画フレーム又は動画フレームの時間的位置がサブフィールドの配置を獲得することを可能にする。
【００１７】
これは、この構造において、フレームの各維持期間がＰＤＰの奇数行の表示に関する１つのサブフィールドと偶数行の表示に関係する別のサブフィールドの、各々が異なる重みの２つのサブフィールドに関係する。
【００１８】
図３下部の例では、ＰＤＰの奇数行の表示に関し、期間Ｐ１、Ｐ２及びＰ３は各々の動画フレームのサブフィールドＳＦ１、ＳＦ２及びＳＦ３を構成し、期間Ｐ４、Ｐ５、Ｐ６及びＰ７は共にサブフィールドＳＦ４を形成する（奇数行セルは期間Ｐ５、Ｐ６及びＰ７の開始時に消去されていない）。
【００１９】
ＰＤＰの偶数行の表示に関しては、期間Ｐ４、Ｐ５及びＰ６が各々の動画フレームのサブフィールドＳＦ１、ＳＦ２及びＳＦ３を形成する。サブフィールドＳＦ４は：
ａ）  現時の動画フレームの期間Ｐ７及び次の動画フレームの期間Ｐ１、Ｐ２及びＰ３によってか；
ｂ）  又は（点線の）先行する動画フレームの期間Ｐ７及び現時の動画フレームの期間Ｐ１、Ｐ２及びＰ３か；
によって形成される。
【００２０】
これは２つの状況を結果として生ずる：
ａ）の場合には、ＰＤＰの偶数行に関係するサブフィールドはＰＤＰの奇数行に関係するサブフィールドと同様の順序、すなわちＳＦ１、次にＳＦ２、今度はＳＦ３、更にＳＦ４、にて表示されるが、この表示は奇数行に対しておおよそ動画フレームの半分だけオフセットされる。
【００２１】
ｂ）の場合には、偶数行に関係するサブフィールドはＰＤＰの奇数行に関係するサブフィールドと同様には表示されず、すなわち奇数行は（ＳＦ１、ＳＦ２、ＳＦ３、ＳＦ４）の順に、偶数行は（ＳＦ４、ＳＦ１、ＳＦ２、ＳＦ３）の順に表示される；更に、ＰＤＰの偶数行の表示は奇数行に対して少しオフセットされる；該オフセットは期間Ｐ７に相当する。
【００２２】
両方の場合において、偶数行の高い重みのサブフィールドは奇数行の低い重みのサブフィールドの間に表示され、逆も同様である。したがってこれはインタレース・アドレシング又は表示モードと呼び得る。ｂ）の場合においては、同時に表示される偶数行の高い重みのサブフィールドと奇数行の低い重みのサブフィールドとは同一の画像に関係する。これはａ）の場合には当てはまらない。
【００２３】
このインタレース・モードは人間の目に対しては１００Ｈｚの表示をシミュレートすることになる。したがって大画面フリッカの問題はなくなる。
【００２４】
更に、このインタレース・モードはＰＤＰの電流消費がフレーム全体によりよく分布されることを可能にする。図４は、図１と比較して、本発明の表示方法が適用される場合に動画フレームの間にＰＤＰによって消費される電流を表す。図１と同様に、画像は考えられるグレー・レベルの分布が等確率であると考える（ＰＤＰのセルの２０％が０のグレー・レベルを有する；セルの２０％がサブフィールドＳＦ１の間のみオンの状態にある；セルの２０％がサブフィールドＳＦ１及びＳＦ２の間のみオンの状態にある；セルの２０％がサブフィールドＳＦ１、ＳＦ２及びＳＦ３の間のみオンの状態にあり、セルの２０％が４つのサブフィールドＳＦ１、ＳＦ２、ＳＦ３及びＳＦ４の間にオンの状態にある）。本発明によれば、ＰＤＰに供給される電流強度は最高電流強度（ＰＤＰの全てのセルが同時にオン状態の場合）の５０％を超えない。これによってより安価な電源、特により低い静電容量の放電コンデンサのある電源を用いることを可能にする。
【００２５】
しかしながら、このインタレース・モードは、ＰＤＰの偶数行に関係する動画フレームと奇数行に関係する動画フレームとの間のオフセットのために多少の表示上の不具合が発生することがある。更に、擬似輪郭の影響の問題が又、表示される画像系列がいくつかの連続する画像をまたがって移動するオブジェクトを含む場合に出現し得る。その場合、これらの不具合を修正するよう、動画フレームにおける時間的位置に応じてサブフィールドを空間的に移動させることが好都合である。
【００２６】
こうするには、各画像ｊのサブフィールドが、低い重みのサブフィールドから成る第１群Ｌｊと高い重みのサブフィールドから成る群Ｈｊとの２つの連続する群に分けられる。例えば、図３下部のような４つのサブフィールドから成る動画像の場合、群ＬｊはサブフィールドＳＦ１、ＳＦ２、ＳＦ３から成り、群ＨｊはサブフィールドＳＦ４から成る。これらの２つの群はおおよそ等しい長さを有する。先行する画像に対して当該の動画像の動きを表す動きベクトルＭは次に、表示される動画像の各画素について算定される。最後に、サブフィールドの群の少なくとも１つが当該動きの方向にシフトされる。
【００２７】
図４は、（前述のａ）の場合の）ＰＤＰの奇数行に関係する動画像に対しておおよそ１／２フレームだけ、ＰＤＰの偶数行に関係する動画像がオフセットされた場合のサブフィールドの移動を示す。この図においては、ｙ軸は時間軸を表し、ｘ軸は画素を表す。ｘ軸上では、ｉがＰＤＰの偶数行上に表示された画素を表し、ｐはＰＤＰの奇数行上に表示された画素を表す。群Ｌ１及びＨ１は各々、画像１の、低い重みのサブフィールド及び高い重みのサブフィールドを表す。同様に、群Ｌ２及びＨ２は各々、画像２の、低い重みのサブフィールド及び高い重みのサブフィールドを表す。画素ｉのサブフィールドＬ１及びＨ１の群は瞬間０及びＴとの間に順次表示され、画素ｐの当該群はＴ／２と３Ｔ／２との間に表示される。本発明によれば、画素ｉの群Ｈ１と画素ｐの群Ｌ１はＭ／２に等しい量によってオフセットされる。更に、画素ｐの群Ｈ１はＭに等しい量だけ移動される。更に、画素ｐの群Ｈ１はＭに等しい量によって移動される。移動されたサブフィールドの群の最終位置は図中で点線にて表す。
【００２８】
変形例として、画素ｐの群Ｌ１及びＨ１は０とＴとの間にて表示し得たかもしれず、画素ｉの当該群はＴ／２と３Ｔ／２との間にて表示し得たかもしれない。画素ｐの群Ｈ１と画素ｉの群Ｌ１はＭ／２に等しい量だけオフセットされ、画素ｉの群Ｈ１はＭに等しい量だけ移動される。
【００２９】
他の変形例の場合、補償は最大Ｍ／２の移動振幅に制限される。補償は、１つの群に対しては−Ｍ／２、２つの群に対しては０、及び最後の群に対してはＭ／２となり、上記の例においては全体で−Ｍ／２の移動になる。この変形例は動き補償に関係する面積を低減する。
【００３０】
図６は、（上記のｂ）の場合の）ＰＤＰの奇数行に関係するサブフィールドの順序が偶数行に関係する順序と異なる場合のサブフィールドの移動を示す。図４のように、画素ｉのサブフィールドＬ１及びＨ１の群は瞬間０とＴとの間にこの順序にて表示される。画素ｐのサブフィールドＬ１及びＨ１の群は更に０とＴとの間に表示されるが、反対の順序になる（群Ｈ１が群Ｌ１の前に表示される。）。この特定の場合においては、画素ｉの群Ｈ１と画素ｐの群Ｌ１のみがＭ／２に等しい量だけオフセットされる。この第２の状況は行われるサブフィールド移動の数を制限する。
【００３１】
変形例として、画素ｐ及び画素ｉとの群Ｌ１とＨ１とは逆の順序にて表示し得たかもしれない。画素ｉの群Ｈ１と画素ｐの群Ｌ１とはＭ／２に等しい量だけオフセットされる。
【００３２】
本発明の方法を実現する非常に多くの構造が考えられる。１つの例示が図７に表される。画像符号化装置１０は画像の流れを受信する。この装置の機能は本発明の方法による映像フレームを生成することにある。動き補償装置１１、例えば信号処理器、は更に当該画像の種々の画素に関係する動きベクトルを算定し、上記のようにサブフィールド群をオフセットし、プラズマ・タイル１４のライン・ドライバ１２及びコラム・ドライバ１３にアドレス信号を供給する。同期化回路１５はライン・ドライバ１２及びコラム・ドライバ１３を同期化するよう設けられる。この構造は単に図示として設ける。
【００３３】
上記の実現形態は１６のグレー・レベルを可能にする分割に関するものである。これらの例は説明の簡素化の観点から選択された。２５６のグレー・レベルへの転置は自動的に行う。２値分解が用いられる場合には、図８に表す維持期間の分割が獲得される。
【００３４】
グレー・レベルには２値分解を用いなくてもよい。例にとると、擬似輪郭の影響を低減する、更に階層化された符号を用い得る。例えば、図９は以下の表示―重み分解の持続期間を分割する例を表す：１−２−４−７−１１−１６−２２−３０−４０−５４−７２。一般に、おおよそ同等の重みを有する２つの群に分割することが可能な限りは如何なる類のグレー・レベル符号化もが考えられる。
【図面の簡単な説明】
【００３５】
【図１】前述の、従来技術の方法によって動画フレームの間にＰＤＰ供給回路が供給しなければならないエネルギを表す図である。
【図２】従来技術の表示方法の動画フレームの構成を表す図である。
【図３】本発明による表示方法の動画フレームの構成を表す図である。
【図４】本発明の方法によって、動画フレームの間にＰＤＰ供給回路が供給しなければならないエネルギを表す図である。
【図５】動き補償を伴う、本発明の方法の第１実施形態である。
【図６】動き補償を伴う、本発明の方法の第２実施形態である。
【図７】本発明の方法を実現する装置の例を表す図である。
【図８】グレー・レベルを分割する代替方法である。
【図９】グレー・レベルを分割する代替方法である。
【図１】
2005504346.tif 000003
【図２】
2005504346.tif 000004
【図３】
2005504346.tif 000005
【図４】
2005504346.tif 000006
【図５】
2005504346.tif 000007
【図６】
2005504346.tif 000008
【図７】
2005504346.tif 000009
【国際公開パンフレット】
2005504346.tif 000010
2005504346.tif 000011
2005504346.tif 000012
2005504346.tif 000013
2005504346.tif 000014
2005504346.tif 000015
2005504346.tif 000016
2005504346.tif 000017
2005504346.tif 000018
2005504346.tif 000019
2005504346.tif 000020
2005504346.tif 000021
2005504346.tif 000022
2005504346.tif 000023
2005504346.tif 000024
2005504346.tif 000025
2005504346.tif 000026
2005504346.tif 000027
2005504346.tif 000028
2005504346.tif 000029
2005504346.tif 000030
2005504346.tif 000031
【国際公開パンフレット（コレクトバージョン）】
2005504346.tif 000032
2005504346.tif 000033
【手続補正書】
【提出日】平成15年9月12日(2003.9.12)
【手続補正１】
【補正対象書類名】特許請求の範囲
【補正対象項目名】請求項１
【補正方法】変更
【補正の内容】
【請求項１】
動画像を表示装置上のパネルに動画フレームの間に表示する方法であって、前記装置は行及び列に配置された複数セルを有し、前記動画フレームは、複数の、サブフィールドと呼ばれる期間で、該期間中に各基本セルが表示の重みに比例する時間においてオン状態かオフ状態かのいずれかにある期間から成っていて、各サブフィールドが：
各々、前記奇数列セル又は前記偶数列セルをアドレスする奇数又は偶数アドレス期間；
前記パネルの前記セル全てに共通の、少なくとも１つの期間で、該期間中に前記セルが前記先行するアドレスに応じてオン状態かオフ状態かである、維持期間；及び
各々、前記奇数列セルと前記偶数列セルとの状態を消去するための偶数又は奇数消去期間；
を有し、前記奇数行に関係する少なくとも１つのサブフィールドが少なくとも１つの偶数アドレス期間及び／又は１つの偶数消去期間によって離された少なくとも２つの維持期間を有し、かつ、前記偶数行に関係する少なくとも１つのサブフィールドが少なくとも１つの奇数アドレス期間及び／又は１つの奇数消去期間によって離された少なくとも２つの維持期間を有し、
前記パネルの前記奇数及び偶数行について、前記サブフィールドを、前記低い重みのサブフィールドを有する第１群（Ｌ１）と前記高い重みのサブフィールドを有する第２群（Ｈ１）との２つのサブフィールドの群に分割する工程；
を有し、更に：
先行する動画像に対する現時の動画像の動きを予測して該現時の動画像の各画素について動きベクトル（Ｍ）を生成する工程；及び
前記現時の動画像の各画素について、前記パネルの、前記偶数行の前記群（Ｌ１又はＨ１）のうちの一方の前記サブフィールドと、前記奇数行の前記群（Ｌ１又はＨ１）のうちの前記一方とは別の前記サブフィールドとを、前記予測動きベクトルの半分（Ｍ／２）におおよそ等しい量だけ、移動させる工程；
を有することを特徴とする方法。
【手続補正２】
【補正対象書類名】明細書
【補正対象項目名】０００８
【補正方法】変更
【補正の内容】
【０００８】
奇数行に関係する少なくとも１つのサブフィールドは少なくとも１つの偶数のアドレス期間及び／又は１つの偶数消去期間によって離されている少なくとも２つの持続期間を有する。偶数行に関係する少なくとも１つのサブフィールドは少なくとも１つの奇数のアドレス期間及び／又は１つの奇数の消去期間によって離されている少なくとも２つの持続期間を有する。当該方法は、パネルの奇数行と偶数行について、サブフィールドを、おおよそ等しい長さの、低い重みのサブフィールドから成る第１群と高い重みのサブフィールドから成る第２群との、２つのサブフィールド群に分割する。更に、先行する動画像に対する現時の動画像の動きが、現時の動画像の各画素について動きベクトルを生成するよう推定される。現時の動画像の各画素について、パネルの偶数行の群の一方のサブフィールドと奇数行の群のもう一方のサブフィールドとが推定動きベクトルの半分におおよそ等しい量だけ移動される。


【手続補正３】
【補正対象書類名】明細書
【補正対象項目名】００１１
【補正方法】変更
【補正の内容】
【００１１】
本発明によれば、ＰＤＰの奇数行のセルのアドレシングは偶数行のセルのアドレシングから離される。同様のことがセルの消去にも当てはまる。動画像の表示フレームはしたがってＰＤＰの奇数行のセルをアドレスする期間Ｉ、ＰＤＰの偶数行のセルをアドレスする期間Ｐ、ＰＤＰの奇数行のセルを消去する期間Ｅ（Ｉ）、ＰＤＰの奇数行のセルを消去する期間Ｅ（Ｐ）及びＰＤＰの全てのセルに共通の持続期間がある。この動画フレームの新規構造は図３を通じて示され、従来技術の動画像フレーム構造を表す。


【手続補正４】
【補正対象書類名】明細書
【補正対象項目名】００１３
【補正方法】変更
【補正の内容】
【００１３】
図３は、上記の通り、本発明による動画像の表示フレームがＰＤＰの奇数行及び偶数行セルを各々アドレスする期間Ｉ及びＰ、ＰＤＰの奇数行セル及び偶数行セルを各々消去する期間Ｅ（Ｉ）及びＥ（Ｐ）、及びＰＤＰの全てのセルに共通の持続期間から成ることを表す。重み８のサブフィールドＳＦ４の持続期間はより短い長さの４つの持続期間、すなわち２つの重み１の持続期間、１つの重み２の持続期間及び１つの重み４の持続期間に分割される。その場合、図３における動画フレームは：
消去期間Ｅ（Ｉ）、アドレス期間Ｉ、及び重み１の持続期間から成る第１期間Ｐ１；
消去期間Ｅ（Ｉ）、アドレス期間Ｉ、及び重み２の持続期間から成る第２期間Ｐ２；
消去期間Ｅ（Ｉ）、アドレス期間Ｉ、及び重み４の持続期間から成る第３期間Ｐ３；
消去期間Ｅ（Ｉ）、アドレス期間Ｉ、消去期間Ｅ（Ｐ）、アドレス期間Ｐ、及び重み１の持続期間から成る第４期間Ｐ４；
消去期間Ｅ（Ｐ）、アドレス期間Ｐ、及び重み２の持続期間から成る第５期間Ｐ５；
消去期間Ｅ（Ｐ）、アドレス期間Ｐ、及び重み４の持続期間から成る第６期間Ｐ６；及び  最後に
消去期間Ｅ（Ｐ）、アドレス期間Ｐ、及び重み１の持続期間から成る第７期間Ｐ７；
の７つの基本期間を有する。


【手続補正５】
【補正対象書類名】明細書
【補正対象項目名】００２７
【補正方法】変更
【補正の内容】
【００２７】
図５は、（前述のａ）の場合の）ＰＤＰの奇数行に関係する動画像に対しておおよそ１／２フレームだけ、ＰＤＰの偶数行に関係する動画像がオフセットされた場合のサブフィールドの移動を示す。この図においては、ｙ軸は時間軸を表し、ｘ軸は画素を表す。ｘ軸上では、ｐがＰＤＰの偶数行上に表示された画素を表し、ｉはＰＤＰの奇数行上に表示された画素を表す。群Ｌ１及びＨ１は各々、画像１の、低い重みのサブフィールド及び高い重みのサブフィールドを表す。同様に、群Ｌ２及びＨ２は各々、画像２の、低い重みのサブフィールド及び高い重みのサブフィールドを表す。画素ｉのサブフィールドＬ１及びＨ１の群は瞬間０及びＴとの間に順次表示され、画素ｐの当該群はＴ／２と３Ｔ／２との間に表示される。本発明によれば、画素ｉの群Ｈ１と画素ｐの群Ｌ１はＭ／２に等しい量によってオフセットされる。更に、画素ｐの群Ｈ１はＭに等しい量だけ移動される。更に、画素ｐの群Ｈ１はＭに等しい量によって移動される。移動されたサブフィールドの群の最終位置は図中で点線にて表す。


【手続補正６】
【補正対象書類名】明細書
【補正対象項目名】００３０
【補正方法】変更
【補正の内容】
【００３０】
図６は、（上記のｂ）の場合の）ＰＤＰの奇数行に関係するサブフィールドの順序が偶数行に関係する順序と異なる場合のサブフィールドの移動を示す。図５のように、画素ｉのサブフィールドＬ１及びＨ１の群は瞬間０とＴとの間にこの順序にて表示される。画素ｐのサブフィールドＬ１及びＨ１の群は更に０とＴとの間に表示されるが、反対の順序になる（群Ｈ１が群Ｌ１の前に表示される。）。この特定の場合においては、画素ｉの群Ｈ１と画素ｐの群Ｌ１のみがＭ／２に等しい量だけオフセットされる。この第２の状況は行われるサブフィールド移動の数を制限する。




【国際調査報告】
2005504346.tif 000034
2005504346.tif 000035
2005504346.tif 000036
2005504346.tif 000037
2005504346.tif 000038
2005504346.tif 000039